(57)【特許請求の範囲】
【請求項１】
２進変換により互いに演繹され得ない異なるフォーマットによるビデオソース画像の階層符号化のための方法であって、該方法はウェーブレットに基づく空間的解析ステップを有し、該空間的解析ステップは、サブバンド信号を供給するために高解像度フォーマットにおける画像のフィルタリング処理及びフィルタリングされた画像の水平方向及び／又は垂直方向デシメーション処理を有し、前記水平方向デシメーション処理は、前記高解像度フォーマットの水平方向デシメーションと予期される低解像度フォーマットの水平方向デシメーションとの比率に相応するファクタを使用し、かつ／又は、前記垂直方向デシメーション処理は、前記高解像度フォーマットの垂直方向デシメーションと前記低解像度フォーマットの垂直方向デシメーションとの比率に相応するファクタを有する、前記方法。
【請求項２】
高い又は低い時間周波数の画像を供給するためのソース画像の予備的な時間的解析ステップを有し、空間的解析ステップは前記時間周波数画像に実行される請求項１記載の方法。
【請求項３】
高解像度フォーマット画像又は予期される低解像度フォーマット画像はソース画像の２進ウェーブレット変換から得られる低周波画像である請求項１記載の方法。
【請求項４】
前記高解像度画像フォーマットはＸ個のピクセルのＹ個の行に相応し、前記予期される低解像度画像フォーマットはＵ個のピクセルのＶ個の行に相応し、
水平方向デシメーション処理は高周波サブバンド信号を供給するためにファクタＸ／（Ｘ−Ｕ）で実行され、垂直方向デシメーション処理は、ファクタＹ／（Ｙ−Ｖ）で実行される、請求項１記載の方法。
【請求項５】
２進変換により互いに演繹され得ない高解像度フォーマット及び低解像度フォーマットにおける画像に関するサブバンド情報からビデオソース画像を復号化するための方法であって、該方法はウェーブレットに基づく空間的合成ステップを有し、該空間的合成ステップは高解像度画像を供給するためにサブバンド信号から得られる低解像度画像の水平方向及び／又は垂直方向オーバーサンプリング処理及びオーバーサンプリングされた画像のフィルタリングを有し、前記水平方向オーバーサンプリング処理は、前記高解像度フォーマットの水平方向デシメーションと予期される低解像度フォーマットの水平方向デシメーションとの比率に相応するファクタを使用し、かつ／又は、前記垂直方向オーバーサンプリング処理は、前記高解像度フォーマットの垂直方向デシメーションと前記低解像度フォーマットの垂直方向デシメーションとの比率に相応するファクタを有する、方法。
【請求項６】
低解像度フォーマット画像は高解像度フォーマット画像の低周波サブバンド信号に相応する、請求項５記載の復号化方法。
【請求項７】
低解像度フォーマット画像はこの画像に関する低及び高周波サブバンド信号からの空間的合成により得られる、請求項５記載の復号化方法。
【発明の詳細な説明】
【技術分野】
【０００１】
本発明は、異なるフォーマット、すなわち少なくとも１つの第１の高解像度画像フォーマット及び第２の比例しない又は２ではないファクタによって比例した低解像度画像フォーマットによるビデオソース画像の階層符号化のための方法であって、この方法はウェーブレットに基づく空間的解析ステップを有し、この空間的解析ステップはサブバンド信号を供給するために高解像度フォーマットにおける画像のフィルタリング処理及びフィルタリングされた画像の水平方向及び／又は垂直方向デシメーション処理を有する、ビデオソース画像の階層符号化のための方法に関し、さらに、本発明は、第１の高解像度画像フォーマット及び第２の比例しない又は２ではないファクタによって比例した低解像度画像フォーマットにおける画像に関するサブバンド情報からビデオソース画像を復号化するための方法であって、この方法はウェーブレットに基づく空間的合成ステップを有し、この空間的合成ステップは高解像度画像を供給するためにサブバンド信号から得られる低解像度画像の水平方向及び／又は垂直方向オーバーサンプリング処理及びオーバーサンプリングされた画像のフィルタリングを有する、サブバンド情報からビデオソース画像を復号化するための方法に関する。
【背景技術】
【０００２】
本発明は、水平方向及び／又は垂直方向における異なる比例しないフォーマット又は２ではないファクタによって比例したフォーマットのビデオ画像に対する階層符号化及び復号化方法、とりわけウェーブレット変換又は離散ウェーブレット変換Discrete Wavelet Transformationの頭文字の略語ＤＷＴを使用する空間的解析による符号化方法に関する。例えば、これはStandard DefinitionのためのＳＤフォーマット及び高精細度ＨＤフォーマットにおけるデジタルテレビジョン信号の符号化を含む。
【０００３】
本発明の適用範囲は、「スケーラブル（scalables）」として周知の空間的及び／又は時間的スケーラビリティダイアグラムに基づくビデオ圧縮の適用範囲である。これは、例えば動き補償された時間的フィルタリングを含む２Ｄ＋ｔウェーブレット符号化を含む。階層符号化は、ベースレイヤが低解像度フォーマットに関して得られ、より高い解像度フォーマットに相応するアッパーレイヤが得られることを可能にする。
【０００４】
空間的スケーラビリティを有するビデオ符号器は公知の領域にある。このビデオ符号器により生成されるデータフローは、必要な符号化されたデータが単一復号化フォーマットにおいて伝送又は抽出されることを可能にする階層構造を有する。これらの符号器により必要とされるビデオフォーマットは、高解像度の寸法が低解像度寸法の２の倍数に相応するビデオフォーマットであり、２進（dyadic）分解を可能にする。こうして、寸法１７６×１４４のQuarter Common Intermediate FormatのためのＱＣＩＦフォーマット及び寸法３５２×２８８のＣＩＦフォーマットと互換性のある符号化方法又はさもなければＣＩＦフォーマット及び寸法７０４×５７６の４ＣＩＦフォーマットと互換性のある符号化方法がハイパス及びローパスフィルタリング及び２つのフィルタリングされた画像によるサブサンプリングを有する空間的分解によって得られる。
【０００５】
図１は従来技術によるビデオ符号器の線図を示す。Motion Compensated Embedded Zero Block Contextの頭文字の略語であるＭＣＥＺＢＣのような大抵の２Ｄ＋ｔサブバンド符号化ダイアグラムの場合と同じように、符号化システムの第１のステップは画像内部の空間的冗長性を利用する前に連続画像間の時間的冗長性を利用することから成る。
【０００６】
ビデオ信号は時間的解析回路１に伝送される。動き推定回路２はこの第１の回路に接続されており２つの画像間の動きを推定する。動き情報は回路１及び例えば動きベクトルフィールドの形式の符号化回路６に伝送される。回路１の出力は空間的解析回路３に送信され、この空間的解析回路３はサブバンド毎のデータを供給するためにＤＷＴウェーブレット変換を実施する。このデータは次いで量子化され符号器４によりエントロピー符号化方法に従って符号化される。この符号化方法はVariable Length Codingの頭文字の略語であるＶＬＣタイプ又は算術タイプの符号化方法である。
【０００７】
符号化された情報及び動き情報はパケット化回路又はパケタイザ５に送信され、このパケット化回路又はパケタイザ５はビデオデータをビデオパケットの形式で送信し、ビデオデータフローを構成する。
【０００８】
パケット化回路の機能は、それぞれエントロピー符号化回路及び動きフィールド符号化回路から来るテクスチャ及び動き情報をそれらの空間及び時間周波数及び／又はそれらのサイズ、例えばビットプレーン符号化アプローチにおけるそれらのウェイトに従って一貫したサブセットへとカットアップすることである。従って、得られたバイナリフローは解像度、フィールド周波数及び忠実度において個別にスケーラブルである。
【０００９】
推定された動きフィールドはソースの解像度又は異なる様々な時間的分解レベルの解像度に相応する。
【００１０】
図２は概略的に時間的解析回路１により実施されるMotion Compensated Temporal Filtering、頭文字の略語ＭＣＴＦによって公知の動き補償時間的フィルタリング処理を示す。この例では、４レベル分解が、太い線で示された１６個の画像を有するGroup Of Picture及びGroup Of Framesに由来するＧＯＰ又はＧＯＦとして公知の画像のグループに対して実行される。
【００１１】
各分解レベルに対して繰り返される高周波及び低周波フィルタリングはそれぞれ８個の時間高周波画像（ｔ−Ｈ）及び８個の時間低周波画像（ｔ−Ｌ）を第１の時間的分解レベルにて発生する。時間低周波画像は次いで再び同じ方法で分解される。これらの画像のハイパスフィルタリングはより高い時間的分解レベルにて４個の時間高周波画像ｔ−ＬＨを供給し、ローパスフィルタリングは４個の新たな時間低周波画像ｔ−ＬＬを供給する。そしてこれが他のレベルに対して繰り返される。よって、この分解は時間低周波を有する有効画像ｔ−ＬＬＬLを発生することによって新しいエネルギ分布を可能にし、これは画像のグループのセットの平均を表し、これにはエネルギが集中されており、さらに低エネルギ時間高周波画像の画像の４つのレベルが得られ、すなわち５個の周波数帯域が得られる。これらの１６個の画像がサブバンドへの空間的分解のための空間的解析回路に送信されるのである。
【００１２】
１つの実施形態では、長い長さの線形フィルタを利用する複素フィルタリング処理を使用する代わりに、フィルタリングがここでは１６個の画像のグループに実行され、「リフティング」として公知のフィルタリングがインプリメントされる。このフィルタリング方法は、限定された長さの複数のフィルタを使用することによるフィルタの「因数分解」の公知のやり方において、例えば５個の連続サンプルを含むスライディング窓を使用してサンプルをフィルタリングすることが選択されるならばタイプ５／３のフィルタを含む。
【００１３】
スケーラビリティによってビットストリームが生成されることが可能となり、このビットストリームからはフロー、空間解像度、時間周波数などのようなデータのセットに適合されたバイナリサブストリームを抽出することができる。とりわけ、所与の空間解像度で実行される符号化閾値から、空間的スケーラビリティは、生じるビットストリームからバイナリサブストリームをより低い空間解像度に相応して抽出することを可能にする。例えば、もし原スケーラブルビットストリームが７２０×４８０ピクセル解像度ビデオシーケンスから生成されたならば、それ自体スケーラブルな例えば３６０×２４０ピクセル解像度を有するサブビットストリームがこのビットストリームから適当なデータを抽出した後で得られる。このサブビットストリームの復号化はサイズ３６０×２４０ピクセルのビデオを生成する。
【００１４】
この空間的スケーラビリティはウェーブレット変換によるサブバンドカッティングを実行する空間的解析回路３から得られる。例えば、信号４ＣＩＦの単一レベルでのサブバンド分解はＣＩＦフォーマットに相応する比較的低い周波数信号ＬＬを供給する。しかし、もし高解像度フォーマットが２進変換（dyadic transformation）によって低解像度フォーマットに関連付けられないならば、高解像度フォーマット又は低解像度フォーマットの画像の部分は符号化には使用されない。
【発明の開示】
【発明が解決しようとする課題】
【００１５】
本発明の課題は上記の欠点、すなわち、もし高解像度フォーマットが２進変換によって低解像度フォーマットに関連付けられないならば、高解像度フォーマット又は低解像度フォーマットの画像の部分は符号化には使用されないという欠点を克服することである。
【課題を解決するための手段】
【００１６】
上記課題は、ビデオソース画像の階層符号化のための方法において、デシメーション処理は、偶数値ではないファクタに従って実行され、さらに第１の及び第２のフォーマットの水平方向又は垂直方向寸法の比率に相応し、低周波サブバンド信号に関するこうして得られた低周波画像は第２のフォーマットに相応することによって解決され、
さらに、サブバンド情報からビデオソース画像を復号化するための方法において、オーバーサンプリング処理は、偶数値ではないファクタに従って実行され、第１の及び第２のフォーマットの水平方向又は垂直方向寸法の比率に相応することによって解決される。
【発明を実施するための最良の形態】
【００１７】
本発明の対象は、異なるフォーマット、すなわち少なくとも１つの第１の高解像度画像フォーマット及び第２の比例しない又は２ではないファクタによって比例した低解像度画像フォーマットによるビデオソース画像の階層符号化のための方法であって、この方法はウェーブレットに基づく空間的解析ステップを有し、この空間的解析ステップはサブバンド信号を供給するために高解像度フォーマットにおける画像のフィルタリング処理及びフィルタリングされた画像の水平方向及び／又は垂直方向デシメーション処理を有する、ビデオソース画像の階層符号化のための方法において、
デシメーション処理は、偶数値ではないファクタに従って実行され、さらに第１の及び第２のフォーマットの水平方向又は垂直方向寸法の比率に相応し、低周波サブバンド信号に関するこうして得られた低周波画像は第２のフォーマットに相応することを特徴とする。
【００１８】
特別な実施形態によれば、本発明の方法は、高い又は低い時間周波数の画像を供給するためのソース画像の予備的な時間的解析ステップを有し、空間的解析ステップは時間周波数画像に実行されることを特徴とする。
【００１９】
特別な実施形態によれば、本発明の方法は、高解像度フォーマットの画像はソース画像の２進ウェーブレット変換（dyadic wavelet transformation）から得られる低周波画像であることを特徴とする。
【００２０】
特別な実施形態によれば、第１の画像フォーマットはＸ個のピクセルのＹ個の行に相応し、第２のフォーマットはＵ個のピクセルのＶ個の行に相応し、本発明の方法は、デシメーション処理は高周波サブバンド信号１６、１７、１８を供給するために値Ｘ／（Ｘ−Ｕ）によりＸの軸に従って又は値Ｙ／（Ｙ−Ｖ）によりＹの軸に従って実行される。
【００２１】
本発明はまた第１の高解像度画像フォーマット及び第２の比例しない又は２ではないファクタによって比例した低解像度画像フォーマットにおける画像に関するサブバンド情報からビデオソース画像を復号化するための方法であって、この方法はウェーブレットに基づく空間的合成ステップを有し、この空間的合成ステップは高解像度画像を供給するためにサブバンド信号から得られる低解像度画像の水平方向及び／又は垂直方向オーバーサンプリング処理及びオーバーサンプリングされた画像のフィルタリングを有する、サブバンド情報からビデオソース画像を復号化するための方法において、オーバーサンプリング処理は、偶数値ではないファクタに従って実行され、第１の及び第２のフォーマットの水平方向又は垂直方向寸法の比率に相応することを特徴とする。
【００２２】
特別な実施形態によれば、本発明の復号化方法は、低解像度画像は高解像度画像の低周波サブバンド信号に相応することを特徴とする。
【００２３】
特別な実施形態によれば、本発明の復号化方法は、比較的低い解像度の画像はこの画像に関する低及び高周波サブバンド信号からの空間的合成により得られることを特徴とする。
【００２４】
特定のサブサンプリングファクタのために及びウェーブレットへの符号化の間の異方性フィルタリング（anisotropic filtering）のために、たとえスケーラブル符号化フォーマットが２進変換により互いに演繹され得なくても、得られるサブピクチャはこれらのスケーラブル符号化フォーマットに適合される。
【００２５】
画像の僅かな歪みと引き換えに、高解像度画像の全情報が符号化され、それゆえ非相似的寸法のより低い解像度の画像の表示のために利用される。
【実施例】
【００２６】
本発明の他の特徴及び利点は以下の記述から明らかであり、非限定的な例として図面を伴って記述が提示される。
【００２７】
本発明の空間的解析回路３は図３を使用して記述されている。様々なサブバンド信号が画像のハイパス及びローパスフィルタリングによって得られる。これらのフィルタは最初に行において次に列において画像をフィルタリングするために使用される。結果は各フィルタリング処理の後でサブサンプリングされる。この例では、サブバンド分解の単一レベルは、行におけるハイパス及びローパスフィルタリング処理が２つのフィルタリングされた画像を与え、さらにこれらのフィルタリングされた画像の各々の列におけるハイパス及びローパスフィルタリング処理によって実現される。符号器により伝送する画像フォーマットは例えばＨＤフォーマット及びＳＤフォーマットである。
【００２８】
時間的解析回路１から来る時間的分解のレベルの高周波画像（ｔ−Ｈ、ｔ−ＬＨ、ｔ−ＬＬＨ、ｔ−ＬＬＬＨ）のうちの１つに又は時間的分解の最後のレベルの低周波画像（ｔ−ＬＬＬＬ）に相応する１２８０ピクセルの７２０行のＨＤ規格の高解像度画像７が、ウェーブレットに展開される。従って、ハイパス水平方向フィルタリング及びローパス水平方向フィルタリングがこの画像７に実行され、それぞれ第１の及び第２のフィルタリングされた画像８及び９を供給する。
【００２９】
フィルタリングされた画像９は次いでファクタ１２８０／７２０によって水平方向にデシメートされ、７２０ピクセルの７２０行の画像１１を供給する。
【００３０】
フィルタリングされた画像８は次いでファクタ１２８０／５６０によって水平方向にデシメートされ、５６０ピクセルの７２０行の画像１０を供給する。
【００３１】
ハイパス垂直方向フィルタリング及びローパス垂直方向フィルタリング処理がこの画像１１に実行され、それぞれ第１の及び第２のフィルタリングされた画像１４及び１５を供給する。
【００３２】
フィルタリングされた画像１４は次いでファクタ７２０／２４０によって垂直方向にデシメートされ、７２０ピクセルの２４０行の画像１８を供給する。
【００３３】
フィルタリングされた画像１５は次いでファクタ７２０／４８０によって垂直方向にデシメートされ、７２０ピクセルの４８０行の画像１９を供給する。
【００３４】
ハイパス垂直方向フィルタリング及びローパス垂直方向フィルタリング処理が画像１０に実行され、それぞれ第１の及び第２のフィルタリングされた画像１３及び１２を供給する。
【００３５】
フィルタリングされた画像１３は次いでファクタ２４０／７２０によって垂直方向にデシメートされ、５６０ピクセルの２４０行の画像１７を供給する。
【００３６】
フィルタリングされた画像１２は次いでファクタ４８０／７２０によって垂直方向にデシメートされ、５６０ピクセルの４８０行の画像１６を供給する。
【００３７】
画像２０は得られたサブピクチャのグループ化に相応する様々なサブバンド信号を表している。
【００３８】
従って、ウェーブレット分解方法は符号化されるスケーラブル画像フォーマットに従って適応される。最高解像度画像フォーマットから、空間的解析方法は低解像度フォーマットの水平方向寸法に対する最高解像度フォーマットの水平方向寸法の比率に相応するファクタの水平方向ローパスフィルタリングにより得られる画像の水平方向デシメーションを実施する。こうして得られたサブバンド画像は、次に低解像度フォーマットの垂直方向寸法に対する最高解像度フォーマットの垂直方向寸法の比率に相応するファクタの垂直方向ローパスフィルタリングをうける。水平方向及び垂直方向フィルタリング順序は入れ替えることができる。
【００３９】
これは、異方性フィルタリング、異なる水平方向及び垂直方向デシメーション比率を有するデシメーション処理を含む。
【００４０】
より一般的には、寸法ＸピクセルのＹ行の第１の高解像度フォーマットへのソース画像の符号化及び寸法ＵピクセルのＶ行の少なくとも１つの第２の低解像度フォーマットへのソース画像の符号化を考察しよう。Ｕ及び／又はＶはそれぞれＸ及び／又はＹより小さい。
【００４１】
異方性フィルタリングはサブバンド情報をフィルタリング、次いでデシメーションの異なるステップの間に計算し、この結果、低解像度フォーマットに相応するサブバンド低周波数に関するサブピクチャはこのフォーマットの寸法を有する。符号化するための高い解像度レベルが得られることを可能にする補足的な高周波サブピクチャは低周波サブピクチャの寸法に対して補足的な寸法を有し、結果的にこの高解像度フォーマットの寸法が得られる。
【００４２】
こうして、ファクタＸ／Ｕの第１の水平方向デシメーションがローパスフィルタリングによりフィルタリングされた第１のフォーマットの画像に実行され、さらにファクタＹ／Ｖの第２の垂直方向デシメーションがデシメートされて第２のローパスフィルタリングをうけた画像に実行される。こうして得られる低周波サブピクチャは第２のフォーマットに相応するＶ行Ｕ列の寸法を有する。
【００４３】
当然、第１のフォーマットはソース画像のフォーマットであってもよいし、さもなければソース画像の１回又は複数回の２進ウェーブレット変換の後に得られたフォーマットであってもよい。
【００４４】
低周波サブバンド情報に対して付加的なサブバンド情報は付加的なデシメーションを適用することによって得られる。
【００４５】
第１の高周波サブバンド画像は、第１のフォーマットの画像のローパス水平方向フィルタリング、ファクタＸ／Ｕの水平方向デシメーション、ハイパス垂直方向フィルタリング、さらにファクタＹ／（Ｖ）の垂直方向デシメーションフィルタリングを適用することによって得られる。
【００４６】
第２の高周波サブバンド画像は、第１のフォーマットの画像のハイパス水平方向フィルタリング、ファクタＸ／（Ｘ−Ｕ）の水平方向デシメーション、ローパス垂直方向フィルタリング、さらにファクタＹ／（Ｙ−Ｖ）の垂直方向デシメーションフィルタリングを適用することによって得られる。
【００４７】
第３の高周波サブバンド画像は、第１のフォーマットの画像のローパス水平方向フィルタリング、ファクタＸ／（Ｘ−Ｕ）の水平方向デシメーション、ハイパス垂直方向フィルタリング、さらにファクタＹ／（Ｙ−Ｖ）の垂直方向デシメーションフィルタリングを適用することによって得られる。
【００４８】
本発明は空間的合成方法及びこの方法をインプリメントする空間的合成回路を動作する復号化装置にも関する。
【００４９】
この方法は、復号化するフォーマットに相応するデータのフローからセレクトされたサブバンド又はサブピクチャ信号から符号化処理のステージを逆の順序で実施する。
【００５０】
上記の例を取り上げ、復号化はＨＤフォーマットに関係すると仮定すると、処理されるサブバンド信号はＳＤフォーマットに相応するサブピクチャＬＬ及び付加的なサブピクチャＬＨ、ＨＬ、ＨＨである。
【００５１】
オーバーサンプリング処理は相応するサブサンプリング又はデシメーション処理の間の符号化に使用されたのと同じファクタによって実施される。
【００５２】
ファクタ７２０／４８０の垂直方向オーバーサンプリングがＬＬ信号に実行されて７２０ピクセルの７２０行のサブバンド画像を供給する。ファクタ７２０／２４０の垂直方向オーバーサンプリングがＬＨ信号に実行されて７２０ピクセルの７２０行のサブバンド画像を供給する。
【００５３】
次いで垂直方向ローパス及びハイパスフィルタリングがそれぞれこれら２つのオーバーサンプリングされた画像ＬＬ及びＬＨに適用され、７２０ピクセルの７２０行の合成画像を提供する。この画像はファクタ１２８０／７２０により水平方向にオーバーサンプリングされ、１２８０ピクセルの７２０行の高周波画像を提供する。
【００５４】
同様に、ファクタ７２０／４８０の垂直方向オーバーサンプリングがＨＬ信号に実行されて５６０ピクセルの７２０行のサブバンド画像を供給する。ファクタ７２０／２４０の垂直方向オーバーサンプリングがＨＨ信号に実行されて５６０ピクセルの７２０行のサブバンド画像を供給する。
【００５５】
次いで垂直方向ローパス及びハイパスフィルタリングがそれぞれこれら２つのオーバーサンプリングされた画像ＨＬ及びＨＨに適用され、５６０ピクセルの７２０行の合成画像を提供する。この画像はファクタ１２８０／７２０により水平方向にオーバーサンプリングされ、１２８０ピクセルの７２０行の高周波画像を提供する。
【００５６】
１２８０ピクセルの７２０行の高周波画像及び低周波画像がそれぞれハイパス合成フィルタ及びローパス合成フィルタに通され、１２８０ピクセルの７２０行の高解像度画像を提供する。
【００５７】
上記のように、この方法は低解像度低周波サブバンド画像に一般化され、より高い解像度の復号化された画像を得ることができ、オーバーサンプリングファクタは先にデシメーションのために計算されたファクタであり、フィルタリング及びオーバーサンプリング処理は上記の例によればより高い解像度画像を復元するために逆の順序で実行される。
【００５８】
低解像度画像は高解像度画像に関する低周波サブバンド信号に相応する。１つ以上の解像度レベルが存在する場合及びもし考察される低解像度画像が最低解像度画像ではない場合には、低解像度画像が最低解像度画像に関するサブバンド信号から及びもし存在するならば中間解像度レベルの高周波サブバンド信号から再構成され、これらの中間解像度レベルの高周波サブバンド信号は全体としてこの低解像度画像に対する低周波サブバンド信号を構成する。
【００５９】
上述の符号化及び復号化プロセスは２つのフォーマットに関係する。本発明の範囲から離れることなしに、低周波サブバンド信号が、サブバンド分解の様々な異なるレベルにおいて、これらのフォーマットを有するサブピクチャに相応するように、２進変換により関連付けられていない複数の画像フォーマットに異なるフィルタリング及びデシメーションステップを適用することは当然考えられうる。
【００６０】
空間的解析は時間的分解１からの高及び低周波画像に実行される。直接ソース画像に又はなんらかのタイプの時間的解析の後で得られる画像に空間的解析方法を利用することは当然考えられる。
【図面の簡単な説明】
【００６１】
【図１】従来技術によるスケーラブル符号化ダイアグラムを示す。
【図２】画像のグループの時間的分解を示す。
【図３】本発明の空間的解析を示す。
【符号の説明】
【００６２】
１  時間的解析回路
２  動き推定回路
３  空間的解析回路
４  エントロピー符号化回路
５  パケタイザ
６  動きベクトルフィールド符号化回路
７  ＨＤ規格の高解像度画像
８〜２０  画像
【図１】
0005243701.tif 000002
【図２】
0005243701.tif 000003
【図３】
0005243701.tif 000004